(57)【特許請求の範囲】
【請求項１】
竪樋の挿入口を上端に有し、挿入口の下方の底部に竪樋との接続部を有し、挿入口から接続部に至る雨水排水流路が形成された筒状の雨水排水部と、雨水排水部に連設一体化され、雨水排水部の雨水排水流路に連通し、雨水をろ過するフィルターが着脱自在に内装された筒状の雨水取り出し部と、雨水取り出し部の下端部に接続され、雨水取り出し部に連通する雨水取り出し口部とを備え、雨水排水部の挿入口から雨水排水流路に上側の竪樋が挿入され、接続部に下側の竪樋が接続されて上下の竪樋の間に取り付けられる雨水取り出し装置において、上側の竪樋の挿入を可能とした円形の開口が形成された縁部と雨水取り出し部の上端を閉鎖する蓋部とが連設一体化された蓋部材が、縁部を雨水排水部の上端に、蓋部を雨水取り出し部の上端に配置させて取り付けられ、蓋部材は取り外し可能であり、雨水取り出し装置が上下の竪樋の間に取り付けられた状態において蓋部が持ち上げられると、縁部が上側の竪樋の外周に沿って移動可能となり、蓋部材は、左右方向の回動が自在とされ、蓋部が雨水取り出し部の上端と異なる位置に保持されて雨水取り出し部の上端を完全に開放することを特徴とする雨水取り出し装置。
【発明の詳細な説明】
【技術分野】
【０００１】
本発明は、竪樋を流下する雨水を外部に取り出す雨水取り出し装置に関する。
【背景技術】
【０００２】
近年の水不足や地球環境保全の意識の高まりにつれて、雨水を資源として利用する考えが認識され、雨水を集水する装置が検討され、簡易な装置が提案されている。
【０００３】
たとえば、軒樋に連通する竪樋の適当な位置に取り付けられる筒状の装置で、竪樋が上部に接続される受水筒部と、受水筒部に連設され、連通する取水筒部とを備え、受水筒部の下端に、竪樋が接続される溢出雨水分岐樋が配設された雨水取り出し装置が知られている（特許文献１）。
【０００４】
特許文献１に記載された雨水取り出し装置では、取水筒部の内部にゴミろ過材およびゴミ除去網が配設され、その交換や掃除などのために取水筒部の上端に蓋が開閉自在に取り付けられている。
【特許文献１】実用新案登録第３１２９４９２号公報
【発明の開示】
【発明が解決しようとする課題】
【０００５】
上記雨水取り出し装置では、蓋は開閉自在に取り付けられているため、ゴミろ過材の交換や掃除などの際には、蓋を開け、具体的には蓋を上方に回動させて取水筒部を開放させることができる。
【０００６】
しかしながら、上記雨水取り出し装置では、受水筒部の上端をできるだけ大きく開放させるように、蓋の回動軸が取水筒部の上端において竪樋側に配設されているが、それでも、閉鎖時に受水筒部に安定に配置されるように、蓋の外周端縁にフランジ部が延設などされるため、受水筒部の上方を完全に開放させることはできない。このため、開けた蓋が、ゴミろ過材の取り外しおよび取り付けの邪魔になり、作業をスムーズに行うことができないという問題が指摘される。
【０００７】
このようなゴミろ過材の取り外しおよび取り付けにおける問題を解消するためには、蓋を取水筒部の上端から取り外せるようなものにすることが一応考えられるが、この場合、雨水取り出し装置の周辺に取り外した蓋を保管する場所がないので、蓋が雨水取り出し装置から離れて置かれると、蓋を紛失する恐れがある。蓋の紛失を防止するためには、たとえば紐、チェーンなどにより蓋を雨水取り出し装置につないでおくことが考えられるが、蓋を取り付けた状態における雨水取り出し装置の見栄えが、蓋をつないでおく紐、チェーンなどによって悪くなり、外観が低下するという問題が生じる。
【０００８】
本発明は、以上の通りの事情に鑑みてなされたものであり、雨水をろ過するフィルターの取り外しおよび取り付け作業をスムーズに行うことができ、しかも蓋の紛失が防止されるとともに、外観が良好な雨水取り出し装置を提供することを課題としている。
【課題を解決するための手段】
【０００９】
本発明は、上記の課題を解決するために、竪樋の挿入口を上端に有し、挿入口の下方の底部に竪樋との接続部を有し、挿入口から接続部に至る雨水排水流路が形成された筒状の雨水排水部と、雨水排水部に連設一体化され、雨水排水部の雨水排水流路に連通し、雨水をろ過するフィルターが着脱自在に内装された筒状の雨水取り出し部と、雨水取り出し部の下端部に接続され、雨水取り出し部に連通する雨水取り出し口部とを備え、雨水排水部の挿入口から雨水排水流路に上側の竪樋が挿入され、接続部に下側の竪樋が接続されて上下の竪樋の間に取り付けられる雨水取り出し装置において、上側の竪樋の挿入を可能とした円形の開口が形成された縁部と雨水取り出し部の上端を閉鎖する蓋部とが連設一体化された蓋部材が、縁部を雨水排水部の上端に、蓋部を雨水取り出し部の上端に配置させて取り付けられ、蓋部材は取り外し可能であり、雨水取り出し装置が上下の竪樋の間に取り付けられた状態において蓋部が持ち上げられると、縁部が上側の竪樋の外周に沿って移動可能となり、蓋部材は、左右方向の回動が自在とされ、蓋部が雨水取り出し部の上端と異なる位置に保持されて雨水取り出し部の上端を完全に開放することを特徴としている。
【発明の効果】
【００１０】
本発明によれば、蓋部材は、上側の竪樋の挿入を可能とした円形の開口が形成された縁部と雨水取り出し部の上端を閉鎖する蓋部とが連設一体化されたものであり、縁部を雨水排水部の上端に、蓋部を雨水取り出し部の上端に配置させて取り付けられ、また、蓋部材は取り外し可能であり、雨水取り出し装置が上下の竪樋の間に取り付けられた状態において蓋部が持ち上げられると、縁部が上側の竪樋の外周に沿って移動可能となり、蓋部材は、左右方向の回動が自在とされ、蓋部が雨水取り出し部の上端と異なる位置に保持されて雨水取り出し部の上端を完全に開放する。このため、フィルターの交換や掃除などの際に、雨水取り出し部の上方には何も遮るものがないので、フィルターの取り外しおよび取り付け作業をスムーズに行うことができる。また、蓋部材は、雨水取り出し部の上端を完全に開放する状態においても、縁部が雨水排水部の上端付近に位置し、上側の竪樋から外れることなく上側の竪樋によって保持され、雨水排水部および雨水取り出し部の上端周辺に配置されるので、蓋部材の紛失が防止され、紛失防止のために紐、チェーンなどを必要とせず、したがって、見栄えが低下することはなく、外観が良好となる。
【発明を実施するための最良の形態】
【００１１】
図１、図２、図３は、それぞれ、本発明の雨水取り出し装置の一実施形態を示した斜視図、断面図、平面図である。
【００１２】
図１−３に示した雨水取り出し装置１は、円筒状の雨水排水部２と、同じく円筒状の雨水取り出し部３と、雨水取り出し部３の下端部に接続された丸パイプ状の雨水取り出し口部４とを備えている。
【００１３】
雨水排水部２は、上端に、上側の竪樋５の挿入口６を上端に有し、挿入口６の下方の底部に下側の竪樋７との接続部８を有し、挿入口６から接続部８に至る雨水排水流路９が形成されている。雨水排水部２では、竪樋５が挿入口６から雨水排水流路９の上端部付近に挿入される。挿入口６の形状は、挿入される竪樋５の断面形状に対応させることができ、図３に示したように、挿入口６は、竪樋５に丸樋が使用されているので丸穴状とされている。角樋の場合には、挿入口６の形状は角樋の断面形状に対応した多角形状とすることができる。
【００１４】
雨水排水部２が底部に有する接続部８は、竪樋７の外側からの嵌合を可能としており、丸樋である竪樋７の断面形状に対応する円筒状としている。また、竪樋７の嵌合を容易とするために、接続部８の下端は、水平ではなく、雨水取り出し部３から離れるにしたがって下方に傾斜している。接続部８への竪樋７の接続は、竪樋７が内側に嵌合するようにすることもできる。また、接続部８の断面形状は竪樋７の断面形状に対応させることができ、角樋の場合には角筒状とすることができる。同様に、雨水排水部２そのものも、外形形状は、竪樋５、７の外形形状や建物の外観などに合わせて適宜なものとすることができる。
【００１５】
また、雨水排水部２には、図２に示したように、底部から雨水排水流路９内に上方に突出し、接続部８に連通する、円筒状の内筒部１０が配設されている。内筒部１０は、砂や埃などの細かなゴミを含み、雨水排水部２の内側面を伝って流れ落ちる初期雨水がそのまま排出されないようにするなどのために設けられたものであり、その上端は、雨水取り出し部３における雨水取り出し口部４の接続部位の上端より上位に位置している。内筒部１０の形状も円筒状ばかりでなく、角筒状とすることができ、たとえば、雨水排水部２の外形形状と相似させることができる。
【００１６】
雨水取り出し部３は、雨水排水部２の側方に連結部１１を介して連設一体化されている。雨水取り出し部３は、雨水排水部２の外形形状にほぼ等しい有底の円筒状とされているが、外形形状は、雨水排水部２が角筒状であれば、同様に角筒状することができる他、必ずしも雨水排水部２の外形形状に一致させる必要はなく、意匠性などを考慮して多種多様な形状とすることもできる。また、雨水取り出し部３は、連結部１１を介して雨水排水部２の雨水排水路９と連通している。連結部１１は、断面が略Ｕ字型の形状を有し、中空であり、上下端が、それぞれ、雨水排水部２および雨水取り出し部３の上下端と同一高さに配置されている。
【００１７】
なお、雨水取り出し部３は、連結部１１を介在させずに、雨水排水部２に直接連設一体化することもできる。
【００１８】
このような雨水取り出し部３には、雨水をろ過する、ゴミ除去部材、濾過材などを有するフィルター１２が着脱自在に内装されている。フィルター１２は、フィルター１２自体が有する弾力性などを利用して、雨水取り出し部３の内部に圧入、挿入などされて充填され、内装される。取り付けられたフィルター１２の上端面は、ゴミを捕捉し、雨水のろ過を十分に行うことができるように、雨水排水部２の内筒部１０の上端より上位に配置される。
【００１９】
雨水取り出し口部４は、雨水取り出し部３の下端部において、雨水排水部２と反対側の側方に突出し、雨水取り出し部３に直交している。雨水取り出し口部４の雨水取り出し部３との接続部は、雨水取り出し部３にフィルター１２が内装されたとき、フィルター１２の側面に対向する。雨水取り出し口部４には、外側に、ホース１３の上端部が嵌入または挿入などされ、その結果、雨水取り出し部３は、適所に配置された雨水タンクに雨水取り出し口部４およびホース１３を介して連通される。
【００２０】
このような雨水取り出し装置１は、図１および図２に示したように、竪樋５の下端部が雨水排水部２の上端の挿入口６を通じて雨水排水流路９に挿入され、竪樋７の上端部が接続部８に接続されて、上下の竪樋５、７の間に取り付けられる。上側の竪樋５から流下する雨水は、雨水排水部２に流れ込み、多量に流れこむと、内筒部１０を通じて下側の竪樋７に排水される一方、一部の雨水は、連結部１１を越えて雨水取り出し部３に流れ込む。雨水取り出し部３に流れ込んだ雨水は、フィルター１２によって大小様々なゴミが除去され、ろ過されて、雨水取り出し口部４へ流出し、ホース１３を経て雨水タンクに貯められる。
【００２１】
また、図１−３に示した雨水取り出し装置１には、上側の竪樋５の挿入を可能とした円形の開口１４が形成されたリング状の縁部１５と、雨水取り出し部３の上端を閉鎖する円板状の蓋部１６とが、隣接する側端において帯状の連結部１７を介して連設一体化された蓋部材１８が、縁部１５を雨水排水部２の上端に、蓋部１６を雨水取り出し部３の上端に、また、連結部１７を連結部１１の上端に配置させて取り付けられている。
【００２２】
蓋部材１８の外周形状は、雨水取り出し装置１の本体、すなわち、連結部１１が介設される場合には連結部１１を含め、雨水排水部２および雨水取り出し部３を合わせた上端の形状に対応させることができる。連結部１１が省略される場合には、連結部１７は省略される。一方、縁部１５に形成される開口１４は、上側の竪樋５の挿入を可能とする円形形状としている。好ましくは、開口１４は、後述する縁部１５の竪樋５の外周に沿った移動が、竪樋５の周りを摺動するなどしてスムーズに行なわれ、かつ竪樋５との間に不必要な隙間を生じさせない程度の大きさの円形形状とする。したがって、竪樋５が角樋の場合、縁部は、円形の開口１４が形成された、外周形状が多角形状のものとすることができる。
【００２３】
また、蓋部材１８には、外周端縁から下方にフランジ部１９が延設され、縁部１５、蓋部１６、連結部１７は、それぞれ、雨水排水部２、雨水取り出し部３、連結部１１の上端部に嵌合可能とされている。雨水取り出し装置１は、一般にポリカーボネートなどの合成樹脂製であり、蓋部材１８も同種の合成樹脂製とすることができ、フランジ部１９が有する弾性を利用して、雨水排水部２、雨水取り出し部３および連結部１１の上端外側に蓋部材１８を嵌め込むことができ、この場合、蓋部材１８は、雨水排水部２、雨水取り出し部３および連結部１１に十分に保持され、風圧などを受けても取り外れにくくなる。もちろん、フランジ部１９は、雨水排水部２、雨水取り出し部３および連結部１１の上端部に嵌合するばかりでなく、取り付け状態を維持することができる程度に係合させるなどとしてもよく、また、フランジ部１９は、蓋部材１８の外周端縁のすべてではなく、所望の取り付け強度が得られる程度に部分的に片状、リブ状などとして設けられてもよい。
【００２４】
このような蓋部材１８は、上側の竪樋５が雨水排水部２の挿入口６に挿入される以前に取り付けられ、竪樋５は、縁部１５に形成された円形の開口１４にも通して雨水排水部２の挿入口６から雨水排水流路９に挿入される。
【００２５】
また、蓋部材１８は、上記取り付け状態からも明らかなように、取り外しが可能である。すなわち、雨水取り出し部３に内装されたフィルター１２を定期的に交換したり、掃除したりするなどの際に、蓋部１６を開けることができるようになっている。蓋部１６を開けるには、図１および図２の図中に示した矢印方向に蓋部１６を手で掴んで持ち上げる。すると、蓋部１６は、持ち上げた部分から全体にわたって雨水取り出し部３の上端から上方に離れる。この状態においては、または、蓋部材１６の剛性によっては、この状態において連結部１７、縁部１５も、それぞれ、連結部１１、雨水排水部２の上端から部分的または全体的に離れるが、その状態においては、縁部１５に形成された円形の開口１４の内側に上側の竪樋５が挿入されているため、縁部１５が竪樋５の外周に沿って移動可能となり、蓋部材１８は、左右方向の回動が自在となる。したがって、たとえば図４および図５に示したように、蓋部材１８を左方向に回動させると、回動にともなって蓋部１６が雨水取り出し部３の上端から位置ずれし、雨水取り出し部３の上端が開き、雨水取り出し部３の上端と異なる位置まで蓋部１６を移動させることができる。縁部１５は、竪樋５の外周に沿って摺動などして移動可能であり、竪樋５から抜け外れることはない。蓋部１６を上記の通り移動させた後、蓋部１６から手を離すと、蓋部１６は下方に移動し、フランジ部１９が連結部１１の上端に載置され、縁部１５は雨水排水部２の上端付近に配置され、蓋部材１８は、そのような状態に保持される。このため、蓋部１６が雨水取り出し部３の上端と異なる位置に保持され、雨水取り出し部３の上端は完全に開放する。フィルター１２の取り外しは、この状態において行うことができ、雨水取り出し部３の上方には何も遮るものがないので、フィルター１２の取り外し作業をスムーズに行うことができる。また、雨水取り出し部３の内部の洗浄もスムーズに行うことができる。新しいまたは掃除後のフィルター１２を取り付ける際にも、上記と同様であり、取り付け作業はスムーズに行われる。
【００２６】
このように、図１−３に示した雨水取り出し装置１では、フィルター１２の交換や掃除などの際に、フィルター１２の取り外しおよび取り付け作業をスムーズに行うことができる。
【００２７】
また、蓋部材１８は、雨水取り出し部３の上端を完全に開放する状態においても、上記の通り、縁部１５が雨水排水部２の上端に位置し、上側の竪樋５から外れることなく竪樋５によって保持され、雨水排水部２および雨水取り出し部３の上端周辺に配置される。このため、蓋部材１８の紛失が防止され、紐、チェーンなどを必要とせずに蓋部材１８の紛失防止が実現される。したがって、紐、チェーンなどの配設にともなう見栄えの低下は起こらず、雨水取り出し装置１の外観は良好である。
【図面の簡単な説明】
【００２８】
【図１】本発明の雨水取り出し装置の一実施形態を示した斜視図である。
【図２】図１に示した雨水取り出し装置の断面図である。
【図３】図１に示した雨水取り出し装置の平面図である。
【図４】図１に示した雨水取り出し装置において、フィルターを取り外し、また、取り付ける際の状態を示した斜視図である。
【図５】図４に示した状態の平面図である。
【符号の説明】
【００２９】
１  雨水取り出し装置
２  雨水排水部
３  雨水取り出し部
４  雨水取り出し口部
５、７  竪樋
１４  開口
１５  縁部
１６  蓋部
１８  蓋部材
【図１】
0005048467.tif 000002
【図２】
0005048467.tif 000003
【図３】
0005048467.tif 000004
【図４】
0005048467.tif 000005
【図５】
0005048467.tif 000006